(57)【特許請求の範囲】
【請求項１】
本放送情報と付加情報とを含む放送信号に関連する関連データを記憶する記憶部を備える関連データ提供装置と、前記放送信号を受信すると共に、前記関連データ提供装置とデータの授受を行なう受信装置とからなる情報処理システムであって、
前記受信装置は、
前記放送信号と共に前記関連データ提供装置にアクセスするためのアクセス情報と放送局情報とを含む前記付加情報を受信する受信手段と、
前記関連データ提供装置と通信する第１の通信手段と、
前記受信手段で受信した付加情報を送信してきた放送局を特定する前記放送局情報と、
少なくとも、前記受信した付加情報から抽出した前記アクセス情報を含む関連データ取得用情報とを記憶する記憶手段と、
前記第１の通信手段を制御して、前記関連データ取得用情報を用いて、前記付加情報に含まれる暗号化データを復号するための復号キーを取得するための関連データ取得要求、あるいは、前記関連データ提供装置から暗号化データと当該暗号化データを復号するための復号キーを取得するための関連データ取得要求、を前記関連データ提供装置に送るようにすると共に、前記関連データ提供装置から送られてくる前記関連データとしての前記復号キーあるいは前記暗号化データと復号キーを取得する第１の制御手段と、
を備え、
前記関連データ提供装置は、
前記受信装置と通信するための第２の通信手段と、
前記第２の通信手段を通じて受信した前記関連データ取得要求に応じて、前記関連データとしての前記復号キーあるいは前記暗号化データと復号キーを、要求側に送信するように制御する第２の制御手段、
を備える情報処理システム。
【請求項２】
前記記憶手段は、前記放送局を特定するための情報として放送局情報を記憶し、かつ、前記放送局情報を前記アクセス情報と対応付けて記憶する請求項１に記載の情報処理システム。
【請求項３】
前記記憶手段は、前記放送信号を受信するために設定されたチャンネルに基づいて前記放送局情報を取得して、前記アクセス情報と対応付けて記憶する請求項１に記載の情報処理システム。
【請求項４】
前記アクセス情報は、前記放送局を特定するための情報としての放送局情報を含む請求項１に記載の情報処理システム。
【請求項５】
前記付加情報には、前記放送信号のサンプルデータが含まれ、
前記記憶手段は、前記アクセス情報に対応付けて前記サンプルデータを記憶し、
前記受信装置は、操作入力に基づいて、前記サンプルデータを再生する再生手段を有する請求項１に記載の情報処理システム。
【請求項６】
前記受信手段は、前記付加情報を複数回受信する請求項１に記載の情報処理システム。
【請求項７】
前記記憶手段は、前記付加情報を一時記憶する記憶部を有し、
前記受信手段で前記付加情報が受信される毎に、前記記憶部の前記付加情報を更新する請求項１に記載の情報処理システム。
【請求項８】
前記記憶手段は、前記付加情報を一時記憶する記憶部を有し、
前記本放送情報および前記付加情報は、時間同期を取ったデータフレームの単位で送信されてくるものであり、
前記記憶手段は、前記受信手段で新しい前記データフレームが受信される毎に、古い前記付加情報を削除する請求項１に記載の情報処理システム。
【請求項９】
第１の通信手段を通じて受信した関連データ取得要求に応じて、本放送情報と付加情報とを含む放送信号に関連する関連データを、要求側に送信するように制御する第１の制御手段と、前記放送信号に関連する関連データを記憶する記憶部とを備える関連データ提供装置とデータの授受を行なう受信装置であって、
前記放送信号と共に前記関連データ提供装置にアクセスするためのアクセス情報と放送局情報とを含む前記付加情報を受信する受信手段と、
前記関連データ提供装置と通信する第２の通信手段と、
前記受信手段で受信した付加情報を送信してきた放送局を特定する前記放送局情報と、少なくとも、前記受信した付加情報から抽出した前記アクセス情報を含む前記関連データ取得用情報とを記憶する記憶手段と、
前記第２の通信手段を制御して、前記関連データ取得用情報を用いて、前記付加情報に含まれる暗号化データを復号するための復号キーを取得するための前記関連データ取得要求、あるいは、前記関連データ提供装置から暗号化データと当該暗号化データを復号するための復号キーを取得するための前記関連データ取得要求、を前記関連データ提供装置に送るようにすると共に、前記関連データ提供装置から送られてくる前記関連データとしての前記復号キーあるいは前記暗号化データと復号キーを取得する第２の制御手段と、
を備える受信装置。
【請求項１０】
第１の通信手段を通じて受信した関連データ取得要求に応じて、本放送情報と付加情報とを含む放送信号に関連する関連データを、要求側に送信するように制御する第１の制御手段と、前記放送信号に関連する関連データを記憶する記憶部とを備える関連データ提供装置とデータの授受を行なう受信装置における情報処理方法であって、
前記受信装置の受信手段が、前記放送信号と共に前記関連データ提供装置にアクセスするためのアクセス情報と放送局情報とを含む前記付加情報を受信する受信工程と、
前記受信装置の記憶手段が、前記受信工程で受信した付加情報を送信してきた放送局を特定する前記放送局情報と、少なくとも、前記受信した付加情報から抽出した前記アクセス情報を含む前記関連データ取得用情報とを記憶する記憶工程と、
前記受信装置の制御手段が、通信手段を制御して、前記関連データ取得用情報を用いて、前記付加情報に含まれる暗号化データを復号するための復号キーを取得するための前記関連データ取得要求、あるいは、前記関連データ提供装置から暗号化データと当該暗号化データを復号するための復号キーを取得するための前記関連データ取得要求、を前記関連データ提供装置に送るようにすると共に、前記関連データ提供装置から送られてくる前記関連データとしての前記復号キーあるいは前記暗号化データと復号キーを取得するようにする制御工程と、
を有する情報処理方法。
【発明の詳細な説明】
【０００１】
【発明の属する技術分野】
本発明は、情報処理システム、受信装置、関連データ提供装置、情報処理方法および送信装置に関する。特に、例えばラジオ放送やテレビジョン放送などで放送された番組としての曲などの音声データ、あるいは映画などの画像データを容易に入手することができるようにする情報処理システム、受信装置、関連データ提供装置、情報処理方法および送信装置に関する。
【０００２】
【従来の技術】
例えば、ラジオ放送などにおいて放送された番組は、ラジオ受信機によって受信することができる。
【０００３】
【発明が解決しようとする課題】
ところで、ラジオ放送においては、番組が歌番組であれば、その番組としての曲が、放送信号として放送（送信）される。ここで、放送信号には、アナウンサ（ディスクジョッキ）の音声や、効果音、ジングル等も含まれることがあり、従って、曲自体（例えば、販売用のＣＤ（Ｃｏｍｐａｃｔ  Ｄｉｓｃ）等に記録された、その曲以外の音が含まれていないもの（以下、適宜、正式曲データという）は、放送信号に関連するということができるので、関連データということができる。
【０００４】
ユーザは、ラジオ放送において放送された曲（その曲以外の、例えば、アナウンサの音声等の正式曲データにとっては雑音といえるものが含まれるもの（以下、適宜、放送用曲データという））を、ラジオ受信機によって、聴き、その曲を気に入って欲しくなるときがある。この場合、その曲（正式曲データ）が記録されたＣＤを、販売店に購入しに行く方法がある。
【０００５】
しかしながら、ユーザが欲する曲が記録（記憶）されたＣＤを購入するには、ユーザがそのタイトルや歌手名などを知っている必要があり、その曲が、例えば、新曲である場合には、ユーザが、そのタイトル等を知らないことが多い。また、ラジオ放送においては、一般に、アナウンサが、曲のタイトルや歌手名等を紹介するが、音声による紹介では、聞き逃したり、聞き間違えたりすることがある。
【０００６】
そこで、近年、放送が開始された、いわゆる見えるラジオ放送では、本来の番組としての放送信号の放送（以下、適宜、本放送という）の他に、その放送信号に付加的な付加情報を、データ放送によって放送することが行われている。データ放送による付加情報には、曲のタイトルや歌手名が含まれることがあり、従って、ユーザは、その付加情報の表示を見ることで、タイトルや歌手名を認識することができる。
しかしながら、見えるラジオ放送において放送される付加情報では、ユーザが正式曲データを入手するのが困難な場合や、放送との関連性がわからなくなる場合がある。
【０００７】
本発明は、このような状況に鑑みてなされたものであり、例えば、ラジオ放送やテレビジョン放送などで放送された番組としての曲などの音声データ、あるいは映画などの画像データを、容易に入手することができるようにすることを課題とするものである。
【０００８】
【課題を解決するための手段】
上記課題を解決するため、本発明は、
本放送情報と付加情報とを含む放送信号に関連する関連データを記憶する記憶部を備える関連データ提供装置と、前記放送信号を受信すると共に、前記関連データ提供装置とデータの授受を行なう受信装置とからなる情報処理システムであって、
前記受信装置は、
前記放送信号と共に前記関連データ提供装置にアクセスするためのアクセス情報と放送局情報とを含む前記付加情報を受信する受信手段と、
前記関連データ提供装置と通信する第１の通信手段と、
前記受信手段で受信した付加情報を送信してきた放送局を特定する前記放送局情報と、
少なくとも、前記受信した付加情報から抽出した前記アクセス情報を含む関連データ取得用情報とを記憶する記憶手段と、
前記第１の通信手段を制御して、前記関連データ取得用情報を用いて、前記付加情報に含まれる暗号化データを復号するための復号キーを取得するための関連データ取得要求、あるいは、前記関連データ提供装置から暗号化データと当該暗号化データを復号するための復号キーを取得するための関連データ取得要求、を前記関連データ提供装置に送るようにすると共に、前記関連データ提供装置から送られてくる前記関連データとしての前記復号キーあるいは前記暗号化データと復号キーを取得する第１の制御手段と、
を備え、
前記関連データ提供装置は、
前記受信装置と通信するための第２の通信手段と、
前記第２の通信手段を通じて受信した前記関連データ取得要求に応じて、前記関連データとしての前記復号キーあるいは前記暗号化データと復号キーを、要求側に送信するように制御する第２の制御手段と、
を備える情報処理システムを提供する。
【００１３】
以下、本発明にかかる情報処理システム、受信装置、関連データ提供装置、情報処理方法および送信装置の実施形態を添付図面を参照にして説明するが、その前に、実施形態の送信装置、受信装置の特徴の概要を記述する。
【００１４】
実施形態の送信装置は、所定の放送信号を、所定の付加情報とともに送信する送信装置であって、放送信号を送信する放送局を特定するための放送局情報と放送信号に関連する関連データを入手するために必要な入手情報とを配置して、付加情報を構成する構成手段（例えば、図６に示す同期調整回路５５およびＭＵＸ５８など）と、放送信号を送信するとともに、その送信を行っている間に、放送局情報とその放送信号に関連する関連データについての入手情報とが、配置された付加情報を少なくとも一回送信する送信手段（例えば、図６に示す同期調整回路５５など）とを備えることを特徴とする。
【００１５】
また、実施形態の送信装置は、付加情報に誤り検出または誤り訂正のための処理を施す誤り検出／訂正手段（例えば、図３に示すＥＣＣ回路１５など）をさらに備えることを特徴とする。
また、受信装置は、所定の放送信号を、その放送信号に関連する関連データを入手するために必要な入手情報が配置された付加情報とともに受信する受信装置であって、放送信号および付加情報を受信する受信手段（例えば、図４に示すディジタルラジオチューナ２２など）と、所定の入力があった場合に、放送信号または付加情報から得られる放送局情報と付加情報に配置された入手情報とを記憶する情報記憶手段（例えば、図７に示すストレージ６４）とを備えることを特徴とする。
【００１６】
また、受信装置は、受信手段で受信された放送信号を一時記憶する一時記憶手段（例えば、図７に示すメモリ１６１など）をさらに備えることを特徴とする。
また、受信装置は、受信手段で受信された付加情報を一時記憶する一時記憶手段（例えば、図４に示すメモリ１６１など）をさらに備えることを特徴とする。
さらに、受信装置は、入手情報を出力する出力手段（例えば、図４に示すスピーカ２９や表示装置３０など）をさらに備えることを特徴とする。
【００１７】
また、受信装置は、関連データの内容を認識するのに役立つ情報を出力する出力手段（例えば、図４に示すスピーカ２９や表示装置３０など）をさらに備えることを特徴とする。
また、受信装置は、関連データが所定のデータベースに記憶されている場合において、放送局情報および／または入手情報に基づいて、データベースに記憶された関連データを取得する取得手段（例えば、図７に示すダウンロード処理部６５など）をさらに備えることを特徴とする。
さらに、受信装置は、取得手段は、データベースに記憶された関連データが暗号化されている場合には、関連データを復号するための復号キーも取得する取得手段（例えば、図７に示すダウンロード処理部６５など）をさらに備えることを特徴とする。
【００１８】
また、受信装置は、復号キーに基づいて、関連データを復号する復号手段（例えば、図７に示す復号器６８など）をさらに備えることを特徴とする。
実施形態の伝送システムは、所定の放送信号を、所定の付加情報とともに送信する送信装置と、放送信号を、付加情報とともに受信する受信装置とからなる伝送システムであって、送信装置は、放送信号を送信する放送局を特定するための放送局情報と放送信号に関連する関連データを入手するために必要な入手情報とを配置して、付加情報を構成する構成手段（例えば、図６に示す同期調整回路５５およびＭＵＸ５８など）と、放送信号を送信するとともに、その掃引を行っている間に、その放送信号に関連する関連データについての入手情報が配置された付加情報を少なくとも一回送信する送信手段（例えば、図６に示す同期調整回路５５など）とを備え、受信装置は、放送信号および付加情報を受信する受信手段（例えば、図４に示すディジタルラジオチューナ２２など）と、所定の入力があった場合に、放送信号または付加情報から得られる放送局情報と付加情報に配置された入手情報とを記憶する情報記憶手段（例えば、図７に示すストレージ６４）とを備えることを特徴とする。
なお、もちろん、この記載は、各手段を上記に限定することを意味するものではない。
【００１９】
図１は、本発明を適用したブックマークラジオ（ＢＭＲ（Book Mark Radio ））システム（システムとは、複数の装置が論理的に集合した物をいい、各構成の装置が同一筐体中にあるか否かは問わない）の一実施の形態の構成例を示している。
送信装置１は、例えば、ディジタルラジオ放送の放送局として機能し、伝送媒体２としての、例えば、地上波を介して、ディジタルラジオ放送を行うようになされている。
【００２０】
送信装置１が行うディジタルラジオ放送は、本放送とデータ放送とから構成されており、本放送によるデータ（以下、適宜、本放送データという）には、一般の番組として放送される曲のデータ（放送用曲データ）や、スポンサの広告（いわゆるコマーシャル）のデータなどが含まれている。
また、データ放送によるデータ（以下、適宜、データ放送データという）には、後述するサンプル音声やジャケット写真のデータ、テキストデータ、ＥＭＤ（Electric Music Distribution ）リンク、圧縮暗号化データ、静止画クーポンのデータなどが含まれている。
【００２１】
これらの本放送データおよびデータ放送データは、ユーザ端末３で受信される。
ユーザ端末３は、例えば、携帯型または据え置き型のラジオ受信機や、車載用のラジオ受信機（いわゆるカーオーディオ機器）などで構成され、送信装置１からの本放送データが受信されて、音声で出力される。また、ユーザ端末３では、データ放送データが受信され、必要に応じて、音声で出力、あるいは表示される。
【００２２】
即ち、データ放送データには、本放送データで放送されている曲の、例えば、始まりの部分や、いわゆるさびの部分などの、ユーザに対してサンプルとして提供されるサンプル音声が含まれている。また、データ放送データには、本放送データで放送されている曲が記録された、例えば、ＣＤなどのジャケット写真や、その曲を歌っている歌手の写真（アーティスト写真）、さらには、その曲のタイトル、歌手名、レコード会社（制作会社）の会社名としてのテキストデータが含まれている。
さらに、データ放送データには、放送用曲データに対応する正式曲データを圧縮し、暗号化した圧縮暗号化データも含まれている。
【００２３】
ユーザ端末３では、そのようなデータ放送データが受信され、ユーザの操作に応じて、ジャケット写真、曲のタイトル、歌手名などが表示され、あるいはサンプル音声などが出力される。
ユーザは、本放送による放送用曲データを聴き、興味をもったとき、いわゆるブックマークを付けるように（本にしおりをはさむように）、ユーザ端末３を操作する。さらに、その放送用曲データを聴いている最中や、それを聞き終わった後、サンプル音声などを聴いて、その曲の正式曲データを欲するとき、圧縮暗号化データを復号するための復号キーを要求するように、ユーザ端末３を操作する。ユーザ端末３は、その要求に応じて、正式曲データを管理、配信しているＥＭＤサービス業者のＥＭＤサーバ５に対して、復号キーを要求する。
【００２４】
即ち、データ放送データに含まれるＥＭＤリンクは、正式曲データを提供している提供場所にアクセスするのに用いられるアクセス情報としての、例えば、ＥＭＤサーバ５のＩＰ（Internet Protocol ）アドレスやＵＲＬ（Uniform Resource Locator）などを含んでいる。さらには、それぞれの放送局ごとのデータベースを含んでいることも考えられる。ユーザ端末３は、このＥＭＤリンクに基づき、インターネット４を介して、ＥＭＤサーバ５にアクセスし、圧縮暗号化データを復号するための復号キーを要求する。
【００２５】
ＥＭＤサーバ５は、ユーザ端末３から、復号キーの要求を受信すると、必要な課金処理を行い、復号キーを、インターネット４を介して、ユーザ端末３に送信する。このとき、放送局情報の一部をも合わせて提供しても良い。ユーザ端末３は、ＥＭＤサーバ５からの復号キーを受信し、その復号キーを用いて、圧縮暗号化データを、正式曲データ（が圧縮されたもの）に復号する。これにより、ユーザは、正式曲データを入手することができる。
【００２６】
一方、ＥＭＤサーバ５は、上述したように、正式曲データを管理しており、ユーザ端末３に対して、復号キーを提供する他、放送局（送信装置１）に対して、本放送データとして送信される曲のデータや、その圧縮暗号化データを提供する。また、ＥＭＤサーバ５は、復号キー（最終的には、正式曲データ）の提供の対価の徴収のための課金処理を行う。この課金処理により、後日、ユーザの銀行口座や、クレジット会社から、正式曲データの購入の代金の引き落としが行われる。また、課金は、プリペイドカードなどを利用して行われる場合もある。
【００２７】
なお、データ放送用データには、伝送媒体２の伝送容量の関係から、上述したすべてのデータを含めることができないこともあり、この場合、圧縮暗号化データは、データ放送用データに含めないようにすることができる。データ放送用データに圧縮暗号化データを含めない場合には、ユーザ端末３には、復号キーとともに、その復号キーによって復号される圧縮暗号化データを、ＥＭＤサーバ５に要求させるようにし、ＥＭＤサーバ５には、復号キーおよび圧縮暗号化データを、ユーザ端末３に送信させるようにすることができる。
【００２８】
また、データ放送用データには、放送局情報を含めることができる。放送局情報とは、放送局名や放送局ごとに与えられるユニークなＩＤ（もちろん地上波ＴＶ、ＢＳ放送、スカイパーフェクトＴＶ、ディレクＴＶのようなＣＳ放送、ＦＭラジオ放送、ディジタルラジオ放送によっても違う）あるいはチャンネル番号（テレビの何チャンネル等）や周波数（ＦＭラジオの８０．０ＭＨｚ：ＦＭ東京）のようなものも考えられる。
【００２９】
この放送局情報はチャンネル番号や周波数のように、送信時に送信データに含める必要がないものと、放送局名や放送局ＩＤのように送信データに含めるものがある。含める場合は図１に示すように本放送に入れる場合とデータ放送に入れる場合あるいは両方に入れる場合とがある。これらそれぞれの場合に送受信の構成が変わってくる。
【００３０】
上述の場合には、ＥＭＤサーバ５に課金処理を行わせるようにしたが、課金処理は、図１において点線で示すように、課金処理を行う専用の課金サーバ６を設け、その課金サーバ６に行わせるようにすることが可能である。
【００３１】
また、データ放送用データに圧縮暗号化データを含めない場合には（含めている場合であっても構わない）、例えば、レコード店や、ビデオショップ、コンビニエンスストア、駅の売店などの販売店その他の場所に、圧縮暗号化データおよび復号キーの転送を行う転送装置を設置しておくようにすることが可能である。この場合、ユーザは、転送装置が設置している場所まで行けば、代金と引き替えに、圧縮暗号化データおよび復号キーを入手することができる。
【００３２】
さらに、ＥＭＤリンクには、本放送で放送された曲が記録されたＣＤ等を販売している販売店（例えば、その販売店の店名、さらには支店名など）を記述しておくようにすることができる。この場合、ユーザ端末３において、ＥＭＤリンクを表示（出力）するようにすることで、ユーザは、欲する曲が記録されたＣＤを販売している販売店を認識し、そのＣＤを購入しに行く（販売店にアクセスする）ことができる。
【００３３】
次に、図２は、図１の送信装置１による本放送データおよびデータ放送データの伝送フォーマットを示している。ここで、日本では、約４００ｋｂｐｓ（kilobits per second ）を１セグメントとし、音声圧縮方式として、ＭＰＥＧ（Movin g Picture Experts Group ）ＡＡＣ（Advanced Audio Coding ）を用いて、ディジタルラジオ放送が行われる予定であり、図２は、そのようなディジタルラジオ放送を採用した場合の伝送フォーマットを示している．
【００３４】
図２では、本放送データは、ＭＰＥＧ  ＡＡＣで、１２８ｋｂｐｓ乃至１４４ｋｂｐｓ程度のステレオ信号に圧縮されて送信されている。また、データ放送データのうち、圧縮暗号化データは、正式曲データをＡＴＲＡＣ（Adaptive Transform Acoustic Coding）２で圧縮し、その後、所定の方式で暗号化したものとされており、その伝送レートは、２５０ｋｂｐｓ程度とされている。
送信時に放送局情報を含める場合は図２に示すようにヘッダ部に入れればよい。放送局は一たん設定するとしばらくその局を視聴するので、データフレーム１のサイクリックブックマーク部のように一曲中に何度も送信する必要はない。
【００３５】
本放送データおよびデータ放送データは、所定のフレーム単位で、各フレームは、時間同期をとって送信されるようになされている。
ここで、以下、適宜、本放送データまたはデータ放送データのフレームを、それぞれ音楽フレームまたはデータフレームということにする。
【００３６】
いま、ある曲の送信開始から、その送信終了までを、１の番組とすると、１の番組の本放送データは、ヘッダの後に、必要な数の音楽フレームが配置され、最後に、ＥＯＦ（End Of File ）が配置されて構成される。また、その番組のデータ放送データは、本放送データを構成する音楽フレームと同一数のデータフレームが配置され、最後に、ＥＯＦが配置されて構成される。そして、音楽フレームと、それに対応するデータフレームとは、同期をとって同時に送信される。
【００３７】
データフレームは、その先頭から、データフレームの検出に用いられるシンク（同期信号）、各フレームに、例えばシーケンシヤルに付されるフレームナンバ、１の番組放送内に、周期的に送信されるデータが配置される１フレームサイクリックブックマーク部（以下、適宜、ブックマーク部という）、基本的に複数のデータフレームが集まって完結するデータが配置される複数フし−ム完結部（以下、適宜、完結部という）、誤り訂正または検出のためのＥＣＣ（Error Correcting Code ：Error Checking Code ）が順次配置されて構成されている。
【００３８】
ブックマーク部には、本放送で放送されている曲の正式曲データを入手するために必要な情報（入手情報）が配置される。即ち、ブックマーク部には、本放送で放送されている曲の正式曲データに固有に付されたユニークな固有情報としての、例えば、６０ビットのＩＳＲＣ（International Standard Recording Code ）などが配置される。また、ブックマーク部には、本放送で放送されている曲の正式曲データの内容を認識するのに役立つ認識情報としての、例えば、その曲の曲名（タイトル）や歌っている歌手の歌手名（アーティスト名）、その歌手が所属するレコード会社（制作会社）の会社名（レコード会社名）なども配置される。さらに、ブックマーク部には、本放送で放送されている曲の正式曲データを提供している提供場所（図１に示したＥＭＤサーバ５や正式曲データが記録されたＣＤを販売している販売店など）にアクセスするのに用いられるアクセス情報としてのＥＭＤリンク（EMD Link）も配置される。
【００３９】
１の番組を構成する各データフレームのブックマーク部には、同一の情報が配置されるようになされており、従って、ブックマーク部に配置される情報は、本放送の番組が極端に短い時間で終了しない限り、複数回、周期的に送信される。
【００４０】
完結部には、例えば、次のような音声データ、画像データ、テキストデータ、その他のデータが配置される。
即ち、音声データとしては、例えば、上述した正式曲データを圧縮して暗号化した圧縮暗号化データや、サンプル音声が配置される。さらに、音声データとしては、後述するように、ジングルデータや、アナウンサの音声、高音質化のための差分データ、オーバラップデータなどが配置される場合もある。
【００４１】
画像データとしては、例えば、正式曲データが記録されたＣＤなどのジャケット写真や、その曲を歌っている歌手の写真（アーティスト写真）、静止画クーポンのデータなどが配置される。
【００４２】
テキストデータとしては、例えば、正式曲データの内容を認識するのに役立つ、その曲のタイトルや歌手名、レコード会社名、さらには、その歌手のエピソード、最新情報などが配置される。従って、本実施の形態では、多少冗長ではあるが、曲のタイトや、歌手名などは、ブックマーク部と完結部との両方に配置される場合がある。
その他のデータとしては、宣伝のためのセールスプロモーションに関するデータや広告のためのデータなどが配置される。
【００４３】
ここで、ブックマーク部または完結部に配置されるデータを、以下、適宜、それぞれブックマークデータまたはデータ放送用コンテンツという。
【００４４】
なお、図３では、データ放送のためのチャンネルを１チャンネルとしてあるが、データ放送のためのチャンネルを２チャンネルとし、そのうちの１のチャンネルでブックマーク部に配置されるデータを、他の１のチャンネルで完結部に配置されるデータ放送用コンテンツを、それぞれ同時に送信するようにすることも可能である。
【００４５】
次に、図４は、図１の放送局を構成する送信装置１の構成例を示している。
マイク１１には、アナウンサの音声（ＤＪ（ディスクジョッキ）音声）が入力されるようになされており、そのＤＪ音声は、電気信号としての音声信号に変換され、信号処理部１３に供給される。また、信号処理部１３には、ストレージ１２に記憶されたデータも供給される。
即ち、ストレージ１２には、ＥＭＤサーバ５から、本放送に用いる曲のデータ（正式曲データである場合もある）や、データ放送に用いる圧縮暗号化データ、ジャケット写真などが供給されて記憶されるようになされており、信号処理部１３には、それらのデータが、必要に応じて供給されるようになされている。
さらに、信号処理部１３には、本放送で放送される広告や宣伝の音声（いわゆるコマーシャル：広告音声）や、放送局情報なども供給されるようになされている。
【００４６】
信号処理部１３では、そこに供給されるデータが信号処理され、これにより、本放送データが配置された音楽フレームとデータ放送データが配置されたデータフレームとが生成される。この本放送データの音楽フレームまたはデータ放送デ−タのデータフレームは、ＥＣＣ回路１４または１５にそれぞれ供給され、ＥＣＣが付加されて、ＭＵＸ（マルチプレクサ）１６に供給される。
【００４７】
ＭＵＸ１６では、本放送データとデータ放送データとが多重化され、その結果得られる多重化データが、ディジタル変調回路１７に供給される。ディジタル変調回路１７では、ＭＵＸ１６からの多重化データに対して、例えば、ＱＰＳＫ（Quadrature Phase Shift Keying ）やＱＡＭ（Quadrature Amplitude Modulation ）などのディジタル変調処理が施され、その結果得られる変調信号が、送信機１８に供給される。送信機１８では、ディジタル変調回路１７からの変調信号に対して、増幅その他の必要な処理が施され、アンテナ１９から電波として送信される。
【００４８】
次に、図５は、図１のユーザ端末３の構成例を示している。
上述したようにして、送信装置１から送信されてくる電波は、アンテナ２１で受信され、その受信信号は、ディジタルラジオチューナ２２に供給される。ディジタルラジオチューナ２２は、アンテナ２１からの受信信号を受信し、受信制御部２２Ａの制御にしたがって、所定のチャンネルの受信信号を検波して、ディジタル復調回路２３に供給する。ディジタル復調回路２３は、ディジタルラジオチューナ２２の出力をディジタル復調し、結果得られる多重化データを、ＤＭＵＸ（デマルチプレクサ）２４に出力する。
【００４９】
デマルチプレクサ２４は、ディジタル復調回路２３からの多重化データを、本放送データとデータ放送データとに分離する。本放送データまたはデータ放送データは、ＥＣＣ回路２５または２６にそれぞれ供給される。ＥＣＣ回路２５または２６それぞれは、本放送データまたはデータ放送データに対して、誤り検出または訂正処理を施し、信号処理部２７に供給する。
【００５０】
ここで、ＥＣＣ回路２６は、ＤＭＵＸ２４からのデータ放送データを、ＲＡＭ２６Ａに一時記憶させてから処理を行うようになされている。そして、ＲＡＭ２６Ａは、例えば、少なくとも、図２に示したような１つのデータフレームのデータを記憶することができるだけの記憶容量を有しており、また、ＤＭＵＸ２４から新たなデータフレームを受信するごとに、最も古いデータフレームを消去する（最も古いデータフレームを、新たなデータフレームに更新する）ようになされている。
【００５１】
例えば、ユーザが、ユーザ端末３を携帯している場合や、また、ユーザ端末３が自動車に搭載されている場合には、トンネル内などで、送信装置１からの電波の受信が一時的に途切れることがある。このような場合であっても、ユーザ端末３において、データフレームのブックマーク部のデータを利用することができるように、ＲＡＭ２６Ａは、一時、データ放送データを記憶するようになされている。
【００５２】
なお、送信装置１からの電波の受信が−時的に途切れたかどうかは、例えば、データフレームのフレームナンバ（図２）が連続しているかどうかや、ＥＯＦを受信したかどうか、あるいは、電波のレベルなどに基づいて判定することができる。
【００５３】
信号処理部２７では、ＥＣＣ回路２５または２６それぞれからの本放送データまたはデータ放送データに、所定の信号処理が施される。そして、本放送データは、Ｄ／Ａ（Digital ／Analog）変換器２８に供給され、Ｄ／Ａ変換された後、スピーカ２９に供給されて出力される。
また、データ放送データのうち、音声として出力可能なデータも、必要に応じて、本放送データと同様にして、スピーカ２９から出力される。さらに、データ放送データのうち、表示可能なデータは、必要に応じて、表示装置３０に供給されて表示される。
【００５４】
操作部３１は、所定の場合に、ユーザによって操作される。操作部３１の操作に対応した操作信号は、信号処理部２７に供給され、信号処理部２７は、この操作信号に対応して所定の処理を行う。即ち、例えば、操作部３１が、復号キーを要求するように操作された場合には、信号処理部２７は、モデム３２を制御することにより、インターネット４を介して、ＥＭＤサーバ５とのリンクを確立させ、復号キーを要求する。さらに、信号処理部２７は、その要求に応じて、ＥＭＤサーバ５から送信されてくる復号キーを、モデム３２を介して受信する。
【００５５】
放送局情報は図４の９９Ａ、９９Ｂ、９９Ｃで示したの３か所で入手することが可能である。９９Ａは、ディジタルラジオチューナ２２からチューニング時にロックされた周波数（チャンネル）で、それに対応する放送局名・放送局ＩＤの情報（対応表）を持っているスタイルになる。また、９９Ｂは復号された本放送データから、９９Ｃはデータ放送データから放送局情報が入手される。
この放送局情報はＥＭＤリンクなどの入手情報とともにデータべースにアクセスするための有効な情報となる。また放送局に対応してあらかじめデータベースが構成されていれば、高速で確実なアクセスが可能となる。またこの放送局情報は一旦メモリされれば、チャンネルが変わるまではそれを保持すれば良い。
【００５６】
次に、図５は、図１のＥＭＤサーバ５の構成例を示している。
データベース４１には、ＥＭＤサービス業者が管理する曲の正式曲データや、ＩＳＲＣ、ジャケット写真のデータ、アーティスト写真のデータ、正式曲データの圧縮暗号化データ、その復号のための復号キー、放送局情報などが記憶されており、そのうちの、本放送およびデータ放送で用いられるものが、放送局の送信装置１に供給される。
【００５７】
一方、モデム４３は、インターネット４を介しての通信制御を行うようになされており、ユーザ端末３から、復号キーの要求が送信されてくると、それを受信し、制御部４２に供給する。制御部４２は、復号キーの要求を受信すると、課金処理部４４を制御することにより、課金処理を行わせる。さらに、制御部４２は、要求された復号キーを、データベース４１から読み出し、モデム４３に送信させる。なお、制御部４２は、復号キーの要求とともに、圧縮暗号化データの要求も受信した場合には、その圧縮暗号化データも、データベース４１から読み出し、モデム４３に送信させる。
【００５８】
次に、図６は、図３の送信装置１における信号処理部１３の構成例を示している。
アンプ５１には、図３のマイク１１からのＤＪ音声が供給されるようになされており、アンプ５１は、その音声信号を増幅して、Ａ／Ｄ（Analog／Digital ）変換器５２に供給するようになされている。Ａ／Ｄ変換器５２は、アンプ５１からのアナログの音声をＡ／Ｄ変換することにより、ディジタルの音声データとし、ミキサ５３に供給するようになされている。ミキサ５３には、ＤＪ音声の他、本放送データを構成する曲や、広告、ジングル、放送局情報などのデータ（ここでは、ディジタルデータ）も供給されるようになされており、ミキサ５３は、これらの音声をミキシングすることによって、本放送データを構成し、データ圧縮部５４に供給するようになされている。データ圧縮部５４は、ミキサ５３の出力を、例えば、ＭＰＥＧ方式によつて圧縮し、同期調整回路５５に供給するようになされている。
【００５９】
同期調整回路５５には、データ圧縮部５４から本放送データが供給される他、ブックマークデータと、放送局情報と、ＭＵＸ５８の出力も供給されるようになされている。そして、同期調整回路５５は、ブックマークデータと放送局情報とＭＵＸ５８の出力とから、データ放送データを構成するようになされている。さらに、同期調整回路５５は、本放送データを配置した音楽フレームと、データ放送データを配置したデータフレームを構成し、それらの同期をとって出力するようになされている。
【００６０】
なお、同期調整回路５５は、メモリ５５Ａを有しており、メモリ５５Ａは、１の番組（曲）についてのブックマークデータを一時記憶するようになされている。同期調整回路５５は、ある番組のデータ放送データのデータフレームには、メモリ５５Ａに記憶された、その番組についてのブックマークデータを配置することで、その番組を構成する各データフレームのブックマーク部に、同一のブックマークデータを配置するようになされている。
【００６１】
データ圧縮部５６には、データ放送用コンテンツのうちの音声データ（例えば、上述したように、圧縮暗号化データやサンプル音声など）が供給されるようになされており、データ圧縮部５６は、そこに供給される音声データを、例えば、ＡＴＲＡＣ２方式などで圧縮し、ＭＵＸ５８に供給するようになされている。
なお、音声データのうち、例えば、圧縮暗号化データは、既に、ＡＴＲＡＣ２方式などで圧縮されており、このように既に圧縮されている音声データは、データ圧縮部５６をスルーして、そのままＭＵＸ５８に供給されるようになされている。
【００６２】
データ圧縮部５７には、データ放送用コンテンツのうちの画像データ（例えば、ジャケット写真や、アーティスト写真、静止画クーポンのデータなど）が供給されるようになされており、データ圧縮部５７は、そこに供給される画像データを、例えば、ＪＰＥＧ（Joint Photographic Experts Group）方式などで圧縮し、ＭＵＸ５８に供給するようになされている。
【００６３】
ＭＵＸ５８には、データ圧縮部５６および５７の出力の他、データ放送用コンテンツのうちのテキストデータおよびその他のデータも供給されるようになされており、ＭＵＸ５８は、そこに供給されるデータ放送用コンテンツを多重化して、同期調整回路５５に供給するようになされている。なお、テキストデータやその他のデータについても、その圧縮を行ってから、ＭＵＸ５８に供給するようにすることが可能である。
【００６４】
次に、図７は、図４のユーザ端末３における信号処理部２７の構成例を示している。
図４のＥＣＣ回路２５からの本放送データは、データ伸張部６１に供給されるようになされており、データ伸張部６１は、その本放送データを伸張し、図４のＤ／Ａ変換器２８に供給するようになされている。
【００６５】
また、図４のＥＣＣ回路２６からのデータ放送データは、ＤＭＵＸ６２に供給されるようになされており、ＤＭＵＸ６２は、データ放送用データを、ブックマークデータと、データ放送用コンテンツとに分離するようになされている。さらに、ＤＭＵＸ６２は、データ放送用コンテンツを、表示可能なデータ（以下、適宜、表示データという）、放送局情報、サンプル音声、圧縮暗号化データなどに分離し、ブックマークデータとともに、セレクタ６３に供給するようになされている。ここで放送局情報をブックマークデータの一部と見て処理することもできる。
【００６６】
セレクタ６３は、メモリ６３Ａを有しており、そのメモリ６３Ａに、ＤＭＵＸ６２の出力を一時記憶するようになされている。さらに、セレクタ６３は、図４の操作部３１の操作にしたがって、メモリ６３Ａに記憶されたデータのうちのいずれかを選択し、データ伸長部７０を介して図４の表示装置３０に供給したり、ストレージ６４に供給したりするようになされている。なお、表示装置３０には、基本的に、表示データ（例えば、曲のタイトル（曲名）や、アーティスト名（歌手名）、ジャケット写真など）が、ストレージ６４には、基本的に、ブックマークデータや放送局情報、サンプル音声、圧縮暗号化データなどが、それぞれ供給されるようになされている。
【００６７】
ストレージ６４は、セレクタ６３から供給されるブックマークデータや放送局情報、サンプル音声、圧縮暗号化データなどを記憶するようになされている。さらに、ストレージ６４は、ダウンロード処理部６５から供給される復号キーなども記憶するようになされている。
ここで、ストレージ６４は、ユーザ端末３に内蔵させることも可能であるが、容易に着脱可能な、例えば、メモリカードなどで構成することも可能である。ストレージ６４をメモリカードなどとした場合には、図１で説明したように、そのメモリカードを、販売店に持っていって、圧縮暗号化データおよびその復号キーの提供を受けるようなときに、携帯に便利である。
【００６８】
ダウンロード処理部６５は、操作部３１が、復号キーや圧縮暗号化データのダウンロードを要求するように操作されたときに、図４のモデム３２を制御し、インターネット４を介してＥＭＤサーバ５に対し、そのダウンロードの要求を行うようになされている。個人情報記憶部６６は、復号キーや圧縮暗号化データのダウンロードの際に行われる課金処理に必要なユーザの個人情報としての、ユーザの氏名や住所、電話番号、クレジットカードの番号あるいは銀行口座の番号などを記憶している。この個人情報は、ダウンロード処理部６５が復号キーや圧縮暗号化データのダウンロードの要求を行うときに、その要求とともに送信されるようになされている。
【００６９】
再生制御部６７は、ストレージ６４に記憶されたデータを再生し、復号器６８に供給するようになされている。復号器６８は、再生制御部６７から圧縮暗号化データと復号キーが供給されたとき、その復号キーを用いて、圧縮暗号化データを復号し、その結果得られる、圧縮された正式曲データを、データ伸張部６９に供給するようになされている。また、復号器６８は、再生制御部６７からサンプル音声が供給されたとき、そのサンプル音声を、そのままデータ伸張部６９に供給するようになされている。
【００７０】
データ伸長部６９は、復号器６８から供給される正式曲データやサンプル音声が圧縮されて入るとき、その圧縮された正式曲データやサンプル音声を伸長して、図４のＤ／Ａ変換器２８に供給するようになされている。データ伸張部７０は、セレクタ６３から供給される表示データが圧縮されているとき、その圧縮された表示データを伸長して、表示装置３０に供給するようになされている。なお、データ伸長部６９および７０は、そこに供給されているデータが圧縮されていないときは、そのデータをそのまま出力するようになされている。
【００７１】
以上、本発明を、ラジオ放送に適用した場合について説明したが、本発明は、その他、テレビジョン放送などに適用することも可能である。本発明をテレビジョン放送に適用した場合、そのテレビジョン放送で放送された映画などの画像データを提供する他（音声データを提供するサービスを、上述したように、ＥＭＤサービスとすれば、画像データを提供するサービスは、ＥＶＤ（Electric Video Distribution ）ということができる）、例えば、テレビジョン放送において、ゲームソフトのある場面が放送されたときには、そのゲームソフト（コンピュータプログラム）を提供することなどが可能である。また、本発明は、例えば、書籍データ（例えば、いわゆる電子ブックのデータ）を提供するサービスなどに適用することも可能である。
【００７２】
また、本実施の形態では、図１の伝送媒体２として地上波を利用することとしたが、伝送媒体２としては、その他、衛星回線や、インターネット、ＣＡＴＶ（Cable Television）網などを採用することが可能である。
さらに、本実施の形態では、正式曲データを暗号化した圧縮暗号化データや、生成用データを暗号化したものを提供するようにしたが、正式曲データや生成用データは暗号化せずに提供することも可能である。
また、本実施の形態では、復号キーなどを、有料で提供するようにしたが、無料で提供することも可能である。
【００７３】
さらに、本実施の形態では、図４の操作部３１を操作することにより、信号処理部２７に対して所定の入力を与えるようにしたが、信号処理部２７に対しては、その他、例えば、音声によって所定の入力を与えるようにすることなども可能である。ただし、その場合には、音声認識を行う音声認識装置が必要となる。
また、本実施の形態では、ブックマークデータを、データフレームのブックマーク部に配置することにより、周期的に送信するようにしたが、ブックマークデータは、必ずしも周期的に送信する必要はない。
【００７４】
【発明の効果】
以上説明したように本発明の送信放送および送信装置によれば、放送信号を特定するための放送局情報と前記放送信号に関連する関連データを入手するために必要な入手情報とを配置して、付加情報が構成され、放送信号が送信されるとともに、その送信を行っている間に、前記放送局情報とその放送信号に関連する関連データについての入手情報とが配置された付加情報が少なくとも一回送信される。従って、受信側において、どこの放送局で入手したどういう情報かということが把握できる。すなわちより確実に入手情報を受信することができ、さらに、その入手情報に基づいて、関連データを容易に得ることが可能となる。
【００７５】
また、本発明の受信方法および受信装置によれば、放送信号、およびその放送信号に関連する関連データを入手するために必要な入手情報が配置された付加情報が受信され、所定の入力があった場合に、放送信号または付加情報から得られる放送局情報と付加情報に配置された入手情報が記憶される。従って、ユーザは、その放送局情報と入手情報に基づいて、容易に関連データを得ることが可能となる。
【００７６】
さらに、本発明の伝送方法および伝送システムによれば、放送信号に関連する関連データを入手するために必要な入手情報を配置して、付加情報が構成され、放送信号が送信されるとともに、その送信を行っている間に、その放送信号に関連する関連データについての入手情報が配置された付加情報が複数回送信される。一方、放送信号および付加情報が受信され、所定の入力があった場合に、付加情報に配置された入手情報が記憶される。従って、受信側において、確実に入手情報とその送信源の放送局情報を受信することができ、さらに、その放送局情報と入手情報に基づいて、関連データを、容易に得ることが可能となる。
また、ブックマークしたデータには放送局情報が付随しているので、そのデータがどこの局で流れていたものかがわかるので、タイトル名等だけでどんな曲か忘れてしまっても、思い出しやすい。これはとくに衛星多チャンネル時代には有効である。
さらに、ＥＭＤサービス業者にとっては、放送局情報がわかるので同一の曲データでもどこで放送したものがアクセスが多いかという情報もわかるので、受信者層を掴んだり広告を流すにも適している。また逆にアクセス数に応じた課金徴収額の放送局への分配も可能である。
また、放送局によって異なるデータベースの場合ＥＭＤのアクセスがさらに容易になる。
【図面の簡単な説明】
【図１】本発明を適用したブックマークラジオシステムの一実施の形態の構成例を示すブロック図。
【図２】本放送データおよびデータ放送データのデータフォーマットを示す図。
【図３】図１の実施の形態の送信装置の構成例を示すブロック図。
【図４】図１の実施の形態のユーザ端末の構成例を示すブロック図。
【図５】図１の実施の形態のＥＭＤサーバの構成例を示すブロック図。
【図６】図３の送信装置の信号処理部の構成例を示すブロック図。
【図７】図４のユーザ端末の信号処理部の構成例を示すブロック図。
【符号の説明】
１…送信装置、２…伝送媒体、３…ユーザ端末、４…インターネット、５…ＥＭＤサーバ、６…課金サーバ、１１…マイクロフォン、１２…ストレージ、１３…信号処理部、１４、１５…ＥＣＣ回路、１６…ＭＵＸ、１７…ディジタル変調回路、１８…送信機、１９、２１…アンテナ、２２…ディジタルラジオチューナ、２３…ディジタル復調回路、２４…ＤＭＵＸ、２５、２６…ＥＣＣ回路、２６Ａ…ＲＡＭ、２７…信号処理部、２８…Ｄ／Ａ変換器、２９…スピーカ、３０…表示装置、３１…操作部、３２…モデム、４１…データベース、４２…制御部、４３…モデム、４４…課金処理部、５１…アンプ、５２…Ａ／Ｄ変換器、５３…ミキサ、５４…データ圧縮部、５５…同期調整回路、５５Ａ…メモリ、５６、５７…データ圧縮部、５８…ＭＵＸ、６１…データ伸長部、６２…ＤＭＵＸ、６３…セレクタ、６３Ａ…メモリ、６４…ストレージ、６５…ダウンロード処理部、６６…個人情報記憶部、６７…再生制御部、６８…復号部、６９、７０…データ伸長部、９９Ａ、９９Ｂ、９９Ｃ…放送局情報（出力）、１５１…ミキサ、１５２…データ圧縮部、１５３…暗号化部、１６１…メモリ、１６２…演算器。
【図１】
0004419202.tif 000002
【図２】
0004419202.tif 000003
【図３】
0004419202.tif 000004
【図４】
0004419202.tif 000005
【図５】
0004419202.tif 000006
【図６】
0004419202.tif 000007
【図７】
0004419202.tif 000008